(57)【特許請求の範囲】
【請求項１】
印画条件送信手段に有線または無線で接続されたプリンタであって、予め印画可能な条件が登録されており、前記印画条件送信手段がホストパソコンの場合には当該ホストパソコンからブロードキャスト送信された印画条件情報を本プリンタが受信して、前記印画条件送信手段がホストパソコンに接続されたプリンタの場合には当該ホストパソコンからブロードキャスト送信された印画条件情報を前記プリンタが受信して前記プリンタから送信されてくる印画条件情報を本プリンタが受信して、当該送信されてきた印画条件情報が、登録されている印画条件情報に合致したときは印画すると共に、当該送信されてきた印画条件情報が、登録されている印画条件情報に合致しているかどうかを問わず当該送信されてきた印画条件情報を前記印画条件送信手段に接続されていないが本プリンタと有線または無線で接続されている他のプリンタに転送することができることを特徴とするプリンタ。
【請求項２】
ホストパソコンに無線で接続されたプリンタであって、予め印画可能な条件が登録されており、前記ホストパソコンからブロードキャスト送信されてくる印画条件情報を受信して、当該送信されてきた印画条件情報が、登録されている印画条件情報に合致したときは印画し、当該送信されてきた印画条件情報が、登録されている印画条件情報に合致していないときには当該送信されてきた印画条件情報を前記ホストパソコンに接続されていないが本プリンタと有線または無線で接続されている他のプリンタに転送することを特徴とするプリンタ。
【請求項３】
ホストパソコンに無線で接続されたプリンタであって、予め印画可能な条件が登録されており、前記ホストパソコンからブロードキャスト送信されてくる印画条件情報を受信して、当該送信されてきた印画条件情報が、登録されている印画条件情報に合致したときは印画すると共に当該送信されてきた印画条件情報を前記ホストパソコンに接続されていないが本プリンタと有線または無線で接続されている他のプリンタに転送することを特徴とするプリンタ。
【発明の詳細な説明】
【０００１】
【発明の属する技術分野】
本発明は、ホストパソコン等の印画条件送信装置から有線通信、無線通信で制御されるデジタル画像プリンタ等のプリンタに関する。
【０００２】
【従来の技術】
ホストパソコン等の印画条件送信装置からデジタル画像プリンタ等のプリンタを制御する方法として、ＳＣＳＩ通信、ＩＥＥＥ１３９４通信、ＲＳ２３２Ｃ通信、ＩＥＥＥ１２８４通信、ＵＳＢ通信、インターネット通信等を利用した方法が実用化されている。これらの方法は、有線式によってプリンタを制御する方法であり、印画条件送信装置とプリンタとの間でケーブル引き回しが必要であるため、初期設置の煩わしさ、印画条件送信装置から各部屋をまたいでプリンタを設置することができないこと、プリンタのみを増設する際の制御方法の煩わしさ等の問題があった。
【０００３】
近年では、これら有線による制御方法における問題に鑑みて、無線ＬＡＮ、Ｂｌｕｅｔｏｏｔｈ等の無線通信による制御方法が脚光を浴びてきている。しかし、これらの無線通信では、消費電力を抑えるために微弱電流による通信方法を採用しているため、通信可能範囲が限定されたり、有線制御方法と異なり制御するプリンタが特定できないことにより不用に別プリンタに出力されてしまったりする等の問題があった。
【０００４】
特開平５−１４３５０では、特定のプリンタのみ無線で制御する方法として、各プリンタ毎にＩＤ番号をホストパソコンに登録しておき、ホストパソコンから通信可能なプリンタをサーチした後にＩＤ番号を指定して画像転送、プリント指示を実行する方法が開示されている。しかし、この方法では、ホストパソコンが通信することができるプリンタをホストパソコンがすべて管理する必要があり、ホストパソコンの処理が重くなること、伝送不能なエリアに設置されたプリンタで印画することが不可能であること等の問題がある。
【０００５】
特開平５−１５３０８５では、ホストパソコンからのデータ及び制御信号をスペクトラム拡散変調した微量電波でプリンタに送信し、プリンタは該電波を受信することにより、ホストパソコンからの伝送距離を伸ばす方法が開示されているが、この方法ではシステム内容が複雑になり、また、所望のプリンタに印画させたい点では、伝送範囲内にあっても作動させたくないプリンタが作動してしまう可能性があり、好ましくない。
【０００６】
【発明が解決しようとする課題】
本発明は、上記の事情を考慮して、通信可能範囲を伸ばし、作動させたいプリンタを特定することができるプリンタシステム及びプリンタを提供することを目的とする。
【０００７】
【課題を解決するための手段】
請求項１の本発明は、印画条件送信手段に有線または無線で接続されたプリンタであって、予め印画可能な条件が登録されており、前記印画条件送信手段がホストパソコンの場合には当該ホストパソコンからブロードキャスト送信された印画条件情報を本プリンタが受信して、前記印画条件送信手段がホストパソコンに接続されたプリンタの場合には当該ホストパソコンからブロードキャスト送信された印画条件情報を前記プリンタが受信して前記プリンタから送信されてくる印画条件情報を本プリンタが受信して、当該送信されてきた印画条件情報が、登録されている印画条件情報に合致したときは印画すると共に、当該送信されてきた印画条件情報が、登録されている印画条件情報に合致しているかどうかを問わず当該送信されてきた印画条件情報を前記印画条件送信手段に接続されていないが本プリンタと有線または無線で接続されている他のプリンタに転送することができることを特徴とするプリンタ、からなる。
【０００８】
請求項１の本発明によれば、印画条件送信手段にプリンタが有線または無線で接続されている。プリンタには予め印画可能な条件が登録されている。プリンタは、前記印画条件送信手段から送信されてくる印画条件情報を受信して、当該送信されてきた印画条件情報が、該プリンタに登録されている印画条件情報に合致したときは印画し、合致していないときは印画しない。また、プリンタは、送信されてきた印画条件情報が、登録されている印画条件情報に合致していても合致していなくても当該送信されてきた印画条件情報を他のプリンタに転送することができる。したがって、印画条件情報に合致するプリンタのすべてで印画できる。他のプリンタは、前記印画条件送信手段には接続されていないが前記プリンタとは有線または無線で接続されている。前記印画条件送信手段とは、ホストパソコンである場合もあるし、プリンタである場合もある。すなわち、ホストパソコンから印画条件情報を受信する場合もあるし、ホストパソコン側の上流側のプリンタから印画条件情報を受信する場合もある。
【０００９】
請求項２の本発明は、ホストパソコンに無線で接続されたプリンタであって、予め印画可能な条件が登録されており、前記ホストパソコンからブロードキャスト送信されてくる印画条件情報を受信して、当該送信されてきた印画条件情報が、登録されている印画条件情報に合致したときは印画し、当該送信されてきた印画条件情報が、登録されている印画条件情報に合致していないときには当該送信されてきた印画条件情報を前記ホストパソコンに接続されていないが本プリンタと有線または無線で接続されている他のプリンタに転送することを特徴とするプリンタ、からなる。
【００１０】
請求項２の本発明によれば、プリンタはホストパソコンに無線で接続されている。プリンタには予め印画可能な条件が登録されている。プリンタは、前記ホストパソコンから送信されてくる印画条件情報を受信して、当該送信されてきた印画条件情報が、プリンタに登録されている印画条件情報に合致したときは印画し、当該送信されてきた印画条件情報が、登録されている印画条件情報に合致していないときには印画せずに当該送信されてきた印画条件情報を他のプリンタに転送する。前記他のプリンタは、前記ホストパソコンには接続されていないが前記プリンタとは有線または無線で接続されている。したがって、ホストパソコンに無線で接続されているプリンタに有線又は無線で接続されたプリンタであれば、ホストパソコンに直接接続されていなくても、印画条件情報の転送により転送されてきた印画条件情報が登録されている印画条件情報に合致していれば印画される。
【００１１】
請求項３の本発明は、ホストパソコンに無線で接続されたプリンタであって、予め印画可能な条件が登録されており、前記ホストパソコンからブロードキャスト送信されてくる印画条件情報を受信して、当該送信されてきた印画条件情報が、登録されている印画条件情報に合致したときは印画すると共に当該送信されてきた印画条件情報を前記ホストパソコンに接続されていないが本プリンタと有線または無線で接続されている他のプリンタに転送することを特徴とするプリンタ、からなる。
【００１２】
請求項３の本発明によれば、プリンタはホストパソコンに無線で接続されている。プリンタには予め印画可能な条件が登録されている。プリンタは、前記ホストパソコンから送信されてくる印画条件情報を受信して、当該送信されてきた印画条件情報が、プリンタに登録されている印画条件情報に合致したときは印画し、当該送信されてきた印画条件情報が、プリンタに登録されている印画条件情報に合致していないときには印画しない。さらに、当該送信されてきた印画条件情報が、プリンタに登録されている印画条件情報に合致したときでも当該送信されてきた印画条件情報を他のプリンタに転送する。前記他のプリンタは、前記ホストパソコンには接続されていないが前記プリンタとは有線または無線で接続されている。したがって、ホストパソコンに無線で接続されている前記プリンタが印画し、かつ前記プリンタに有線又は無線で接続されたプリンタであれば、ホストパソコンに直接接続されていなくても、印画条件情報の転送により転送されてきた印画条件情報が登録されている印画条件情報に合致していれば印画される。
【００１３】
【発明の実施の形態】
以下、添付図面に従って本発明の実施の形態に係るデジタル画像プリンタ（以下、「プリンタ」という）について詳説する。
【００１４】
図１は、ホストパソコン１６及びプリンタＡ〜Ｆの接続構成を示した図である。
【００１５】
ホストパソコン１６から近いエリア及びある程度離れたエリアには無線制御可能なプリンタＡ〜Ｆが設置されている。この実施の形態で使用する無線通信の電波は微量電波であるので、プリンタＡ〜Ｃはホストパソコン１６から近距離無線通信可能なエリアに配置されており、プリンタＤ〜Ｆはホストパソコン１６から近距離無線通信不能なエリアに配置されている。したがって、プリンタＡ〜Ｃはホストパソコン１６から直接伝送でき、プリンタＤ〜Ｆはホストパソコン１６から直接伝送できない。プリンタＤはプリンタＡから近距離無線通信可能なエリアに配置されている。プリンタＦはプリンタＤから近距離無線通信可能なエリアに配置されている。また、プリンタＥはプリンタＢから近距離無線通信可能なエリアに配置されている。
【００１６】
ホストパソコン１６は、プリンタの印画条件情報を制御コマンドとして各プリンタに発信する。ホストパソコン１６は、プリンタと無線で受発信するための無線通信機能を有する。印画条件情報とは、カラー対応のプリンタで印刷するとか、男性所有のプリンタで印刷するとかである。
【００１７】
ここで、プリンタＢ、Ｅは、ホストパソコン１６からの制御コマンドを解読できないプリンタ、あるいは解読できてもホストパソコン１６から発信される印画条件に対応していないプリンタとする。
【００１８】
図２は、プリンタ２の構成を示したブロック図である。プリンタ２は、無線コントローラ４、ＣＰＵ６、フラッシュＲＯＭ８、ＳＤＲＡＭ１０、印画、メカ駆動手段１２を有し、これらは内部バス１４で接続されている。無線コントローラ４はホストパソコン１６や他のプリンタ２と無線で受発信するための部署である。フラッシュＲＯＭ８には制御プログラムが格納されており、受信した信号をこの制御プログラムによって制御する。ＳＤＲＡＭ１０は送信されてきた信号の画像情報等を一旦格納する。無線コントローラ４で受信された信号は、内部バス１４を介してフラッシュＲＯＭ８の制御プログラムによって処理され、ＳＤＲＡＭ１０に記憶された後、ＣＰＵ６の指令によって読み出され、印画、メカ駆動手段１２に送られた後、プリンタ２のヘッド、メカ駆動ブロックへ出力される。
【００１９】
ホストパソコン１６からは、具体的にプリンタを特定しないブロードキャストにより制御コマンドを無線で送信するが、このとき図３に示すヘッダー付きコマンドを送信する。制御コマンドは、識別コード、用途コード、コマンドコード、Ｌｅｎｇｔｈ、Ｄａｔａ、ＣｈｋＳｕｍの各コード等からなる。
【００２０】
識別コードは、１バイトの情報量を有している。各プリンタ２には１バイトの識別コードが付されていて、各ビット毎に０、１を割り振ることによって各プリンタの識別コードとしている。例えば、プリンタＡは０００００００１ｂ、プリンタＢは００００００１０ｂ、プリンタＣは０００００１００ｂ、のごとくである。
【００２１】
ホストパソコン１６から各プリンタ２へ制御コマンドを送信するときは、全プリンタ２へブロードキャスト転送するため、識別コードに８ビット文字コード表のＦＦｈを設定する。本形態では、各プリンタ２へは１バイトの識別コードを付与するので、プリンタは８台まで設置可能である。
【００２２】
プリンタ２からホストパソコン１６へ送信する場合、すなわち制御コマンドをリターンコマンドとして使用する場合は、各プリンタ毎に割り振られた識別コードを制御コマンドの識別コードとする。８ビット文字コード表では、プリンタＡの場合は０１ｈ、プリンタＢの場合は０２ｈ、プリンタＣの場合は０４ｈ、となる。
【００２３】
用途コードも１バイトの情報量を有している。用途コードは、ホストパソコン１６が印刷しようとする画像に応じてプリンタ２を指定するときに使用する。例えば、男性使用のプリンタと女性使用のプリンタというように指定する場合、プリンタの性能別に指定する場合（例えば、白黒プリンタとカラープリンタというように指定する場合）、技術グループと事務グループというように指定する場合、等である。各プリンタ２には１バイトの用途コードが付されていて、各ビット毎に０、１を割り振ることによって各プリンタの用途コードとしている。例えば、男性使用のプリンタは０００００００１ｂ、女性使用のプリンタは００００００１０ｂ、のごとくである。
【００２４】
ホストパソコン１６から各プリンタ２へ制御コマンドを送信するときに、特に用途指定がない場合は、用途コードに８ビット文字コード表のＦＦｈを設定する。この場合は用途コードの下位２ビットのみ有効である。
【００２５】
プリンタ２からホストパソコン１６へ送信する場合、すなわち制御コマンドをリターンコマンドとして使用する場合は、各プリンタが該当する条件のコードを返送する。
【００２６】
ホストパソコン１６から送信される制御コマンドを受信した各プリンタ２は、送信されてきた識別コード及び用途コードの条件が共にプリンタ２の識別・用途コードに一致した場合に画像データを受け入れてプリントを実行する。
【００２７】
コマンドコードも１バイトの情報量を有している。コマンドコードは、ホストパソコン１６からプリンタ２へのコマンドとして使用する。例えば、印画可能確認は００ｈ、画像データ受信及び印画実行指示は０１ｈ、等のごとくである。
【００２８】
プリンタ２からホストパソコン１６へ送信する場合、すなわちコマンドコードをリターンコマンドとして使用する場合は、例えば、ＯＫはＥ０ｈ，エラー中はＥ２ｈ，ＢｕｓｙはＥ１ｈ（必要時のみ使用）のようにコードを返送する。
【００２９】
Ｌｅｎｇｔｈも１バイトの情報量を有している。Ｌｅｎｇｔｈはコマンドコード以下のレングス値として使用する。
【００３０】
Ｄａｔａはｎバイトの情報量を有する。Ｄａｔａはコマンドに付随するデータ、及びパラメータとして使用する。
【００３１】
ＣｈｋＳｕｍは１バイトの情報量を有し、コマンドコード〜ＤａｔａＮ−１までのチェックサム値として使用する。
【００３２】
上述のように、プリンタ２は図３のコマンド内容のうちどの条件で印画実行するか否かを予め登録しておき、その登録内容と一致した場合に印画を実行する。
【００３３】
次に、実際のホストパソコン１６、複数のプリンタ２間の印画排他シーケンスを本実施の形態の作用として説明する。
【００３４】
図４は、ホストパソコン１６、プリンタＡ、プリンタＤの間の無線による印画排他シーケンスである。上述のように、プリンタＡはホストパソコン１６から直接伝送可能なエリアに設置されており、プリンタＤはホストパソコン１６から直接伝送不能なエリアであるがプリンタＡから直接伝送可能なエリアに設置されている。
【００３５】
まず、ホストパソコン１６から印画可能確認コマンド（００ｈ）をブロードキャストで無線送信する。プリンタＡは、ホストパソコン１６から直接伝送可能なエリアに設置されているので印画可能確認コマンドを受信し、送られてきたコマンド内容に応じた処理を実行する。すなわち、ＯＫ（Ｅ０ｈ）のコードをホストパソコン１６に返送する。
【００３６】
続いて、ホストパソコン１６は印画指示コマンド（０１ｈ）をブロードキャストで無線送信する。プリンタＡは印画指示コマンドを受信し、印画を実行する。
【００３７】
その間、ホストパソコン１６は再び印画可能確認コマンドをブロードキャストで無線送信した場合、プリンタＡはホストパソコン１６から直接伝送可能なエリアに設置されているが印画実行中なので印画可能確認コマンドをブロードキャストで無線転送する。プリンタＡはホストパソコン１６と同等な無線送信機能を持つため、印画実行中で次の印画可能確認コマンドを受け付けることができない状態（Ｂｕｓｙ状態）では、ホストパソコン１６からの印画可能確認コマンドをプリンタＡを起点として他のプリンタにブロードキャスト転送する。プリンタＤはプリンタＡから直接伝送可能なエリアに設置されているので印画可能確認コマンドを受信し、送られてきたコマンド内容に応じた処理を実行する。すなわち、ＯＫのコードをプリンタＡに返送する。プリンタＡはプリンタＤから送られてきたＯＫのコードをホストパソコン１６に転送する。
【００３８】
続いて、ホストパソコン１６は印画指示コマンドをブロードキャストで無線送信する。プリンタＡは印画指示コマンドを受信するが印画実行中なので、印画指示コマンドをブロードキャストで無線転送する。プリンタＤは印画指示コマンドを受信し、印画を実行する。
【００３９】
プリンタＡが印画を終了すると、印画終了コード（Ｅ０ｈ）をホストパソコン１６に送信する。このとき、識別コードもいっしょに返送するので、ホストパソコン１６はどのプリンタが印画を実行したかを特定することができる。
【００４０】
プリンタＤが印画を終了すると、印画終了コードをプリンタＡに送信する。プリンタＡはプリンタＤから送られてきた印画終了コードをホストパソコン１６に転送する。印画終了コードと共に識別コードもプリンタＤから返送されるので、ホストパソコン１６はどのプリンタが印画を実行したかを特定することができる。
【００４１】
上述のように本形態は、ホストパソコン１６から直接伝送可能なエリアにあるプリンタが印画指示を受け付けることができない状態にあるとき、当該プリンタが、ホストパソコン１６からは伝送不能なエリアにあるが当該プリンタからは伝送可能なエリアにある他のプリンタに印画指示コマンドを転送して印画実行を可能にするものである。
【００４２】
本形態では、プリンタＡが印画実行中であるために再度の印画可能確認コマンドを受け付けできずに転送したが、プリンタＡがホストパソコン１６が指定する用途コードに合致しない（例えば、カラー対応でない）という理由で印画可能確認コマンドを受け付けできない場合でも適用できる。
【００４３】
次に、本実施の形態の別の例の印画排他シーケンスを説明する。
【００４４】
図５は、ホストパソコン１６、プリンタＡ、（Ｃ）、プリンタＢ、プリンタＤの間の無線による印画排他シーケンスである。プリンタＡ、（Ｃ）、プリンタＢはホストパソコン１６から直接伝送可能なエリアに設置されており、プリンタＤはホストパソコン１６から直接伝送不能なエリアであるがプリンタＡから直接伝送可能なエリアに設置されている。プリンタＣも存在するが、プリンタＡと同じ作用をするので、ここではプリンタＡの作用のみ説明する。
【００４５】
まず、ホストパソコン１６から印画可能確認コマンド（００ｈ）をブロードキャストで無線送信する。プリンタＡはホストパソコン１６から直接伝送可能なエリアに設置されているので印画可能確認コマンドを受信し、送られてきたコマンド内容に応じた処理を実行する。プリンタＡはホストパソコン１６から送信されたコマンド条件を満足するものであるので、ＯＫ（Ｅ０ｈ）のコードをホストパソコン１６に返送する。プリンタＡはまた、ホストパソコン１６から送られてきた印画可能確認コマンドをブロードキャストで他のプリンタへ転送する。プリンタＤはプリンタＡから直接伝送可能なエリアに設置されているので印画可能確認コマンドを受信し、送られてきたコマンド内容に応じた処理を実行する。プリンタＤはプリンタＡから転送されてきたコマンド条件を満足するものであるので、ＯＫのコードをプリンタＡに返送する。プリンタＡはプリンタＤから送られてきたＯＫのコードをホストパソコン１６に転送する。
【００４６】
一方、プリンタＢはホストパソコン１６から直接伝送可能なエリアに設置されているが、ホストパソコン１６からのコマンドを解読できないか、あるいはホストパソコン１６からの印画条件を満足しないものであるため、ホストパソコン１６からの印画可能確認コマンドを受信した後、エラー（Ｅ２ｈ）コードをホストパソコン１６に返送するか、受信した印画可能確認コマンドを無視する。ホストパソコン１６からの印画条件を満足しないとは、例えば、ホストパソコン１６からの用途コードが男性所有のプリンタのみ印画すると指定してあった場合に、プリンタＢに登録されている用途コードが女性所有のプリンタである場合である。
【００４７】
次に、ホストパソコン１６は印画指示コマンド（０１ｈ）をブロードキャストで無線送信する。プリンタＡは印画指示コマンドを受信し、印画を実行する。プリンタＡはまた、ホストパソコン１６から送られてきた印画指示コマンドをブロードキャストで他のプリンタへ転送する。プリンタＤは印画指示コマンドを受信し、印画を実行する。プリンタＢは、ホストパソコン１６からの印画指示コマンドを受信した後、エラー（Ｅ２ｈ）コードをホストパソコン１６に返送するか、受信した印画指示コマンドを無視する。
【００４８】
プリンタＡが印画を終了すると、印画終了コード（Ｅ０ｈ）をホストパソコン１６に送信する。このとき、識別コードもいっしょに返送するので、ホストパソコン１６はどのプリンタが印画を実行したかを特定することができる。
【００４９】
プリンタＤが印画を終了すると、印画終了コードをプリンタＡに送信する。プリンタＡはプリンタＤから送られてきた印画終了コードをホストパソコン１６に転送する。印画終了コードと共に識別コードもプリンタＤから返送されるので、ホストパソコン１６はどのプリンタが印画を実行したかを特定することができる。
【００５０】
上述のように本別例は、ホストパソコン１６から直接伝送可能なエリアにあるプリンタが印画指示を受け付けるときでも、当該プリンタが、ホストパソコン１６からは伝送不能なエリアにあるが当該プリンタからは伝送可能なエリアにある他のプリンタに印画指示コマンドを転送して印画実行を可能にするものである。
【００５１】
以上のように、本別例では、プリンタに予め印画する条件を登録しておくことで、ホストパソコン１６に対応可能なプリンタがホストパソコン１６のまわりに存在するか否か等の確認をすることなく、自動的に排他処理を行いながら印画することができる。
【００５２】
上述の実施の形態、実施の形態の別例では、プリンタがＡ、Ｄの場合、プリンタがＡ、Ｃ、Ｂ、Ｄの場合でそれぞれ説明したが、プリンタＥ、Ｆの作用も上述の場合に準じて発生する。プリンタを７台以上設置した場合も同様の制御で所望の印画が可能である。
【００５３】
また、ブロードキャストによる印画可能確認コマンド送信・印画指示コマンド送信ではなく、必要により識別コードを利用してホストパソコン１６からプリンタを指定して（例えば、プリンタＤで印画する）、上記コマンドを送信することも可能である。この場合は、ホストパソコン１６は印画された枚数、印画したプリンタ等を把握しながら印画指示コマンドを送信したりするので、ホストパソコン１６のまわりに設置されているプリンタで所望の印画をすることが可能である。
【００５４】
また、上述の実施の形態、実施の形態の別例では、識別コードを１バイトとしてプリンタ８台に対応可能としたが、識別コードをふやして対応するプリンタ台数を増加させてもよい。例えば、識別コードを２バイトとすれば、２４台までのプリンタに対応可能である。また、用途コードとして男女別プリンタの１種類のみとしたが、用途コードを増やして印画する際の排他条件を増加させてもよい。
【００５５】
上述の実施の形態、実施の形態の別例では、微量電波による無線制御を前提にしているが、将来の電波効率の向上に伴い、現在、各住宅地域毎に使用されている回覧板等は、ある拠点からのブロードキャスト通信により、任意の家庭へ自動配送することが可能となり、それらの応用活用が期待される。
【００５６】
【発明の効果】
請求項１の本発明によれば、印画条件情報に合致するプリンタのすべてで印画できるので、作動させたいプリンタを特定することができる。また、送信されてきた印画条件情報を他のプリンタに転送できるので、微量電波で制御できるプリンタの範囲が広くなり、プリンタ増設等を省略できると共に同時に印画できる機会が増える。
【００５７】
請求項２の本発明によれば、ホストパソコンに接続されているプリンタが印画できなくても、当該プリンタに接続されたプリンタがあればホストパソコンに接続されていないものでも印画条件情報を受信できるので印画することができ、作動させたいプリンタを特定できると共に制御できるプリンタの範囲が広くなる。
【００５８】
請求項３の本発明によれば、ホストパソコンに接続されているプリンタが印画できた場合でも、当該プリンタに接続されたプリンタであればホストパソコンに接続されていないものでも印画条件情報を受信できるので印画することができ、作動させたいプリンタを特定できると共に制御できるプリンタの範囲が広くなる。
【図面の簡単な説明】
【図１】ホストパソコン及びプリンタＡ〜Ｆの接続構成を示した図。
【図２】プリンタの構成を示したブロック図。
【図３】プリンタを制御するコマンドのフォーマットを示した図。
【図４】ホストパソコン、プリンタＡ、プリンタＤの間の無線による印画排他シーケンスを示した図。
【図５】ホストパソコン、プリンタＡ、（Ｃ）、プリンタＢ、プリンタＤの間の無線による印画排他シーケンスを示した図。
【符号の説明】
２…プリンタ、４…無線コントローラ、６…ＣＰＵ、８…フラッシュＲＯＭ、１０…ＳＤＲＡＭ、１２…印画、メカ駆動手段、１４…内部バス、１６…ホストパソコン
【図１】
0004088951.tif 000002
【図２】
0004088951.tif 000003
【図３】
0004088951.tif 000004
【図４】
0004088951.tif 000005
【図５】
0004088951.tif 000006